(57)【特許請求の範囲】
【請求項１】
左右一対の縦枠と、上下一対の横枠と、前記一対の縦枠の間に架設され、既存の柱に固定される横桟と、前記一対の横枠の間に架設され、前記横桟に固定された複数の縦桟とで構成され、背面が既存の壁面に取り付けられる枠体、
前記複数の縦桟の間に架設され、重量物が固定される重量物取付板、
前記重量物取付板の前面側にて、前記枠体の表面の最上部分に取り付けられた上部化粧板、
前記上部化粧板の下端に隣接して取り付けられた下部化粧板、
前記上部化粧板を前記枠体に取り付けるための上部化粧板取付具、および
前記下部化粧板を前記枠体に取り付けるための下部化粧板取付具を備える重量物固定用壁であって、
前記上部化粧板を取り付けるための前記上部化粧板取付具は、
前記一対の縦枠のそれぞれ一方から他方の縦枠に向けて突設された被取付部材、および
前記上部化粧板の裏面に取り付けられ、当該上部化粧板の裏面側において上方に開口して前記被取付部材が嵌め込まれる取付凹所を有する取付部材で構成されており、
前記下部化粧板を取り付けるための前記下部化粧板取付具は、
前記一対の縦枠のそれぞれ一方から他方の縦枠に向けて突設された被取付部材、および
前記下部化粧板の裏面に取り付けられ、当該下部化粧板の裏面側において下方に開口して前記被取付部材が嵌め込まれる取付凹所を有する取付部材で構成されており、
前記上部化粧板および前記下部化粧板の互いに対向する面の一方には、他方の面に向けて延びる凸状部材が設けられており、他方の面の前記凸状部材に対応する位置には、前記凸状部材が嵌合する嵌合穴が設けられていることを特徴とする重量物固定用壁。
【発明の詳細な説明】
【技術分野】
【０００１】
本発明は、大画面テレビや絵画などの重量物を固定するための重量物固定用壁に関する。
【背景技術】
【０００２】
近年、液晶やプラズマなどの大画面テレビが低価格になり、これら大画面テレビの販売台数が急激に増加している。液晶やプラズマなどの大画面テレビは、従来のブラウン管テレビに比べて薄型であることから、大画面テレビを従来のように床からテレビ台などによって支持するだけでなく、壁掛け式にして部屋をすっきりとさせることも提案されている。
【０００３】
しかし、薄型とはいえ大画面テレビの重量は大きいことから、既存の壁面であればどこにでも掛けることができるものではなく、大きな重量を支えることができる柱（大柱だけでなく間柱も含む）に固定しなければならないが、希望する位置に柱がない場合も多いことから、大画面テレビを既存の壁面に直接固定するのではなく、当該既存の壁面における希望する位置に重量物固定用壁を取り付け、この重量物固定用壁に大画面テレビ（以下、大画面テレビや絵画その他の壁に掛けて使用される物すべてを包含する概念として「重量物」という語を用いる。）を取り付ける技術が提案されている（例えば、特許文献１）。
【０００４】
特許文献１の重量物固定用壁１を、図１７を用いて簡単に説明すると、重量物固定用壁１は、既存の壁面Ａの表面側に配置され、上端が既存の天井面Ｂにネジ２で固定されるとともに下端が既存の床面Ｃに固定された枠体３と、横方向で枠体３に架設された複数の横桟４と、横桟４の間に架設され、重量物Ｘの荷重の大部分を受ける重量物取付板５と、重量物取付板５を覆うようにして枠体３の表面に上下に取り付けられた複数の化粧板６と、横桟４の前端面に取り付けられた基部７ａ、基部７ａから突設された突片７ｂ、突片７ｂの前端部から上下方向に突設され、化粧板６の横幅とほぼ同じ長さで左右方向に延びる上係合片７ｃおよび下係合片７ｄで一体に形成された取付具７とで構成されている。そして、化粧板６の上端面および下端面には、取付具７の上係合片７ｃあるいは下係合片７ｄが係合される係合溝８が設けられており、複数の化粧板６は、取付具７を介して枠体３の表面に取り付けられている。
【０００５】
この重量物固定用壁１によれば、金具によって化粧板６を介して重量物取付板５に固定された重量物Ｘは、枠体３を介して既存の天井面Ｂおよび床面Ｃによって支えられるので、既存の柱Ｄの位置に関係なく、希望する位置に重量物Ｘを固定することができる。
【特許文献１】特開２００７−２２４６１９号公報
【発明の開示】
【発明が解決しようとする課題】
【０００６】
しかし、上記特許文献１の重量物固定用壁１によれば、以下のような問題があった。すなわち、重量物固定用壁１の枠体３は、既存の壁面Ａの前面側において、その取付方法から必然的に既存の天井面Ｂから床面Ｃまでを占めることになるから、例えば、大画面テレビの上部に吊戸を取り付けたい場合には、必ず重量物固定用壁１の前に取り付けなければならず、重量物固定用壁１の厚さだけ当該吊戸が手前に出てきてしまい、スペースのロスが発生するし、見栄えも悪いという問題があった。
【０００７】
また、複数の化粧板６を枠体３に取り付ける際には、該化粧板６の下端面に設けられた係合溝８に取付具７の上係合片７ｃを嵌め込んだ後、該化粧板６を枠体３の表面に沿わせた状態を保持しつつ該化粧板６の上端面に設けられた係合溝８に別の取付具７の下係合片７ｄを嵌め込み、その状態で該別の取付具７を横桟４の表面に釘９ａ等で固定しなければならず、化粧板６の施工性が悪いという問題があった。さらにいえば、最上段に取り付けられる化粧板６の上端面は、取付具７で固定できないことから、該最上段の化粧板６の上端部は、釘９ｂ等で枠体３に固定せざるを得ず、釘９ｂ等の頭が露出することとなり、見栄えが悪いという問題もあった。
【０００８】
加えて、化粧板６の端面に係合溝８を設けると、係合溝８の周囲における化粧板６の肉厚が必然的に薄くなり、当該端面の強度が不足して搬送中や組立中に破損するという問題があった。このことは、特に無機板（ケイ酸カルシウム板や火山性ガラス質複層板等）を化粧板６として用いる場合において顕著であった。また、係合溝８を設けるために、化粧板６に薄い板材を使用することができないという問題があった。また、化粧板６の厚さに応じて、突片７ｂの長さが異なる取付具７を用意しなければならず、取付具７の種類が多くなるという問題もあった。
【０００９】
本発明は、このような従来技術の問題点に鑑みて開発されたものである。それゆえに本発明の主たる課題は、上述したような問題を解決することのできる重量物固定用壁を提供することにある。
【課題を解決するための手段】
【００１０】
請求項１に記載した発明は、「左右一対の縦枠２４と、上下一対の横枠２６と、前記一対の縦枠２４の間に架設され、既存の柱Ｄに固定される横桟２８と、前記一対の横枠２６の間に架設され、前記横桟２８に固定された複数の縦桟３０とで構成され、背面が既存の壁面Ａに取り付けられる枠体１２、
前記複数の縦桟３０の間に架設され、重量物Ｘが固定される重量物取付板１４、
前記重量物取付板１４の前面側にて、前記枠体１２の表面の最上部分に取り付けられた上部化粧板１６、
前記上部化粧板１６の下端に隣接して取り付けられた下部化粧板１８、
前記上部化粧板１６を前記枠体１２に取り付けるための上部化粧板取付具２０、および
前記下部化粧板１８を前記枠体１２に取り付けるための下部化粧板取付具２２を備える重量物固定用壁１０であって、
前記上部化粧板１６を取り付けるための前記上部化粧板取付具２０は、
前記一対の縦枠２４のそれぞれ一方から他方の縦枠２４に向けて突設された被取付部材４４、および
前記上部化粧板１６の裏面に取り付けられ、当該上部化粧板１６の裏面側において上方に開口して前記被取付部材４４が嵌め込まれる取付凹所４８を有する取付部材４２で構成されており、
前記下部化粧板１８を取り付けるための前記下部化粧板取付具２２は、
前記一対の縦枠２４のそれぞれ一方から他方の縦枠２４に向けて突設された被取付部材４４、および
前記下部化粧板１８の裏面に取り付けられ、当該下部化粧板１８の裏面側において下方に開口して前記被取付部材４４が嵌め込まれる取付凹所４８を有する取付部材４２で構成されており、
前記上部化粧板１６および前記下部化粧板１８の互いに対向する面の一方には、他方の面に向けて延びる凸状部材７０が設けられており、他方の面の前記凸状部材７０に対応する位置には、前記凸状部材７０が嵌合する嵌合穴７２が設けられている」ことを特徴とする重量物固定用壁１０である。
【００１１】
本発明によれば、枠体１２は横桟２８を介して既存の柱Ｄによって支持されるので、重量物固定用壁１０を既存の天井面Ｂや床面Ｃから離間した状態で保持することができる。
【００１２】
また、上部化粧板１６および下部化粧板１８（化粧板の枚数は３枚以上であってもよく、その場合、３枚目以降の化粧板は下部化粧板１８の下側に順に取り付けられる。）を枠体１２に取り付ける際には、まず、下部化粧板取付具２２を介して下部化粧板１８を枠体１２に取り付け、次に、上部化粧板取付具２０および上部化粧板１６を枠体１２に取り付ける。より詳細に説明すると、下部化粧板１８を取り付け予定位置よりもやや高い位置から枠体１２の表面に沿わせつつ、該取り付け予定位置まで下げていく。このとき、下方に開口する取付部材４２の取付凹所４８が、枠体１２の縦枠２４のそれぞれから他方の縦枠２４に向けて突設された被取付部材４４を下方から受け入れることにより被取付部材４４が取付部材４２に係合し、その結果、下部化粧板１８が枠体１２の表面に固定される。
【００１３】
次に、上部化粧板１６をやや斜めにして、上方に開口する取付部材４２の取付凹所４８に被取付部材４４を嵌め込み、該被取付部材４４を中心軸として上部化粧板１６の下端部を枠体１２に向けて回動させて上部化粧板１６を枠体１２の表面に沿わせた後、上部化粧板１６を下部化粧板１８に向けて下方に移動させ、前記凸状部材７０を前記嵌合穴７２に嵌め込むことにより、上部化粧板１６および下部化粧板１８が枠体１２の所定の位置に取り付けられる。このように、上部化粧板１６および下部化粧板１８の互いに対向する端面には、凸状部材７０あるいは嵌合穴７２を設けるだけでよく、従来技術のように係合溝を設ける必要がない。
【００１４】
また、上部化粧板１６および下部化粧板１８は、上述したように、一方の設けられた凸状部材７０が他方に設けられた嵌合穴７２に嵌り込むことによって互い直接接合されており、従来技術のように、枠体に取り付けられた取付具のような金具を使用する必要がない。
【発明の効果】
【００１５】
本発明によれば、大画面テレビなどの重量物を、既存の柱の位置に関係なく、希望する位置に固定することができるのは当然として、さらに、重量物固定用壁を既存の天井面や床面から離間した状態で保持することができるので、例えば、大画面テレビの上部に吊戸を取り付けたい場合でもスペースのロスが発生せず、見栄え良く取り付けることができる。また、床面にＤＶＤレコーダーなどを収容するＡＶラックなどを配置する場合でも、同様に、スペースのロスが発生せず、見栄え良く配置することができる。
【００１６】
また、上部化粧板および下部化粧板は、上述したように、ハンマーやドライバーなどの工具を用いることなく枠体に取り付けることができるので、化粧板（上部化粧板および下部化粧板）の施工性を著しく向上させることができる。同時に、化粧板の表面には、釘やボルト等の頭が露出することもないので、化粧板の表面を見栄え良く仕上げることができる。
【００１７】
さらに、上部化粧板および下部化粧板の端面に係合溝を設ける必要がないので、化粧板の肉厚が薄くなり端面の強度が不足して破損することがないとともに、化粧板に薄い板材を使用することができる。また、化粧板を互いに直接接合することができるので、化粧板の厚さに応じて複数種類の金具を用意する必要がない。
【発明を実施するための最良の形態】
【００１８】
本発明を適用した重量物固定用壁１０は、大画面テレビや絵画などの重量物Ｘを固定するために用いられるものであり、図１〜３に示すように、枠体１２と、重量物取付板１４と、上部化粧板１６と、下部化粧板１８と（本実施例では、２枚の化粧板を用いる場合について説明するが、化粧板の枚数は３枚以上であってもよく、その場合、３枚目以降の化粧板は下部化粧板１８の下側に順に取り付けられる。）、上部化粧板１６を枠体１２の表面に取り付けるための上部化粧板取付具２０と、下部化粧板１８を枠体１２の表面に取り付けるための下部化粧板取付具２２とを備えている。
【００１９】
枠体１２は、左右一対の縦枠２４と、上下一対の横枠２６と、必須の構成要素ではない天板２７を枠組みし、また、一対の縦枠２４の間に３本の横桟２８を架設し、さらに、角柱状の２本の縦桟３０をＬ型金具３２で各横桟２８の表面に固定することによって一対の横枠２６の間に架設して構成されている。このようにＬ型金具３２を使用することにより、縦桟３０の前表面に不所望に金具が出っ張らず、重量物取付板１４を縦桟３０の前表面の所望の位置に固定することができる。
【００２０】
また、下側の横枠２６、天板２７（上側の横枠２６が予め接合されている）および横桟２８の長手方向の両端面には、図９に示すように、長手方向に延びる２本のピン（ダボ）８０が突設されているとともに、縦枠２４における横枠２６、天板２７および横桟２８の接合位置には、当該ピン８０を受け入れる穴（ダボ穴）８２が設けられている。なお、天板２７を設けない場合は、上側の横枠２６にピン８０が突設されることになる。
【００２１】
また、上側の横枠２６は、縦桟３０よりも枠体１２の裏面側に取り付けられ、縦枠２４の後表面と面一になっており、枠体１２が既存の壁面Ａに取り付けられたときに壁面Ａと接するようになっている。一方、下側の横枠２６は、縦桟３０よりも枠体１２の表面側に取り付けられている。これにより、重量物固定用壁１０を既存の壁面Ａに取り付けたとき、下側の横枠２６と該壁面Ａとの間に空間を形成することができ、重量物Ｘとしての大画面テレビなどの配線コードが挿通し易くなる。
【００２２】
また、図３に示すように、縦枠２４の幅ｔ１は、横桟２８の厚みｔ２と縦桟３０の厚みｔ３と重量物取付板１４（後述）の厚みｔ４との合計寸法と同じに設定され、重量物取付板１４の表面と縦枠２４の端面とが面一になっており、枠体１２の表面に取り付けられた上部化粧板１６および下部化粧板１８の裏面と重量物取付板１４の表面とが互いに接するようになっている。
【００２３】
また、縦枠２４の互いに対向する内面（＝内側面）には、上部化粧板取付具２０および下部化粧板取付具２２を構成する被取付部材４４（後述）が２つ一組で互いに対向する位置に取り付けられている（本実施例のように化粧板が２枚のときは、６つの被取付部材４４が使用されている）。
【００２４】
なお、横桟２８の本数は、枠体１２の寸法、固定する重量物Ｘの重量および既存の柱の位置に応じて適宜選択されるものであり、１本でもよいし、２本以上であってもよい。また、縦桟３０も同様に枠体１２の寸法および固定する重量物Ｘの重量に応じて適宜選択されるが、後述するように、重量物Ｘの重量が直接掛けられる重量物取付板１４を架設するため、少なくとも２本の縦桟３０が必要である。また、縦枠２４、横枠２６、横桟２８および縦桟３０の形状は、角柱状、円柱状あるいは表面に装飾が施されたものなどを適宜選択することができる。
【００２５】
重量物取付板１４は、重量物Ｘが固定される矩形状の板材であり、図４に示すように、ネジ３４によって両縦桟３０に架設されている。また、重量物取付板１４の略中心部には、大画面テレビのような配線コードを備える重量物Ｘを取り付けるときに該配線コードを挿通するための挿通孔３６が設けられている（配線の必要がない絵画などの重量物Ｘを取り付ける場合には、この挿通孔３６を設ける必要はない）。また、下部化粧板１８の略中央下端部に設けられた挿通孔４０（後述）に対応する位置には、挿通孔４０から枠体１２の内側を見たときの見栄えをよくするため、配線化粧板３７がネジ３４で取り付けられている。
【００２６】
上部化粧板１６および下部化粧板１８は、重量物取付板１４を覆うようにして枠体１２の表面の上下に取り付けられた矩形状の板材であり、図１に示すように、上部化粧板１６の下端面と下部化粧板１８の上端面とを当接させた状態で、枠体１２の表面全体を隙間なく覆うように形成されている（もちろん、枠体１２の表面の一部を覆うものでもよく、また、枠体１２の表面よりも広くてもよい）。
【００２７】
また、上部化粧板１６には、上述した重量物取付板１４と同様に、重量物Ｘである大画面テレビ等の配線コードを挿通するための挿通孔３８が重量物取付板１４の挿通孔３６に対応する位置に設けられている。もちろん、重量物Ｘに配線コードがない場合には、この挿通孔３８を設ける必要もない。さらに、上部化粧板１６および下部化粧板１８は、それぞれ必要に応じて４本のネジ３９によって枠体１２に固定されている（ネジ３９は、ネジ３９の頭が露出して重量物固定用壁１０の見栄えが悪くならないように、ワッシャー３９ａおよび化粧キャップ３９ｂでネジ３９の頭をカバーするようになっている。）が、ネジ３９は、上部化粧板１６および下部化粧板１８をより強固に枠体１２に固定する必要がある場合に用いられるものであり、本発明に必須の構成要素ではない。また、下部化粧板１８の略中央下端部には、外部スピーカー（図示せず）などの配線を挿通するための挿通孔４０が設けられており、該挿通孔４０は着脱可能な配線カバー４１で塞がれている。
【００２８】
さらに、上部化粧板１６の裏面の上隅部には、図５に示すように、上部化粧板取付具２０を構成する取付部材４２（後述）が２つ一組で取り付けられており、下部化粧板１８の裏面の四隅部には、図６に示すように、下部化粧板取付具２２を構成する取付部材４２（後述）が４つ取り付けられている。
【００２９】
また、下部化粧板１８の上端面には、対向する上部化粧板１６の下端面に向けて延びる凸状部材７０としてのピン（ダボ）７０が設けられている（図６）。これに対して、上部化粧板１６の下端面のピン７０に対応する位置には、ピン７０が嵌合する嵌合穴（ダボ穴）７２が設けられている（図５）。また、ピン７０の高さｔ５は、後述する上部化粧板取付具２０の取付部材４２における取付凹所４８の深さｔ６よりも短く設定されている。なお、凸状部材７０の形状はピンに限られず、嵌合穴７２の形状も凸状部材７０に対応するものであればよい。また、凸状部材７０を上部化粧板１６の下端面に設け、嵌合穴７２を下部化粧板１８の上端面に形成してもよい。
【００３０】
上部化粧板取付具２０および下部化粧板取付具２２は、図７に示すように、上部化粧板１６あるいは下部化粧板１８の裏面に取り付けられた取付部材４２と、枠体１２の縦枠２４に取り付けられた被取付部材４４とを一組として構成されている。上部化粧板取付具２０（図７（ａ））と下部化粧板取付具２２（図７（ｂ））との違いは、後述するように、単に取付部材４２の取付方向が相違するだけであるから、以下、最初に取付部材４２および被取付部材４４の形状についてそれぞれ説明し、その後、これらがどのような位置および向きで取り付けられているかについて説明する。
【００３１】
取付部材４２は、断面が略Ｚ字状の板材であり、上部化粧板１６あるいは下部化粧板１８の裏面に取り付けられる基部４６と、基部４６と一体的に形成され、上部化粧板１６あるいは下部化粧板１８の裏面側において、被取付部材４４の被係止部５６（後述）が嵌り込む取付凹所４８を形成する取付凹所形成部５０とを有している。また、基部４６には、２つのネジ止め孔５２が取付部材４２の長手方向に所定の間隔で設けられている。
【００３２】
被取付部材４４は、枠体１２の縦枠２４に取り付けられる矩形板状の基部５４と、基部５４から突設され、上述した取付凹所４８に嵌め込まれる被係止部５６とを有しており、被係止部５６の一の面は、基部５４の一の側面と面一に形成されている。また、基部５４には、２つのネジ止め孔５８が基部５４の長手方向に所定の間隔で設けられている。
【００３３】
被取付部材４４は、上述したように、他の被取付部材と対向するようにして枠体１２の縦枠２４にネジ６０で取り付けられている。つまり、一方の縦枠２４に取り付けられた被取付部材４４の被係止部５６が他方の縦枠２４に向けて突設されている。また、被係止部５６の一の面が枠体１２の表面と面一になるように被取付部材４４の取付位置が設定されている。
【００３４】
取付部材４２は、上述したように、上部化粧板１６の裏面の上隅部および下部化粧板１８の裏面の四隅にネジ６２で取り付けられており、それぞれ対応する被取付部材４４と嵌合したときに上部化粧板１６あるいは下部化粧板１８を所定の場所に位置決めできるように設定されている。また、上部化粧板１６に取り付けられた取付部材４２は、対応する被取付部材４４の被係止部５６を上方から受け入れるように、すなわち、取付凹所４８が上方に開口するように取り付けられている（図７（ａ））。一方、下部化粧板１８に取り付けられた取付部材４２は、対応する被取付部材４４の被係止部５６を下方から受け入れるように、すなわち、取付凹所４８下方に開口するように取り付けられている（図７（ｂ））。
【００３５】
なお、取付部材４２の形状は、上述したものに限られず、例えば、図８に示すように、基部４６の略中央部から断面がＬ字状の取付凹所形成部５０が一体的に突設され、基部４６の先端部と取付凹所形成部５０との間に取付凹所４８が形成されたものであってもよい。
【００３６】
本発明を適用した重量物固定用壁１０を用いて重量物Ｘを固定する手順について、最初に重量物固定用壁１０を既存の壁面Ａに取り付ける手順について説明し、その後、重量物Ｘである大画面テレビを固定する場合を例に説明する。
【００３７】
図９に示すように、ピン８０を穴８２に嵌合させることによって、横枠２６および横桟２８を縦枠２４に接合する。なお、横枠２６および横桟２８と縦枠２４との接合には、必要に応じて接着剤８４を用いてもよい。
【００３８】
そして、図１０に示すように、各横桟２８の表面にＬ型金具３２をネジ８６で固定し、このＬ型金具３２に対してネジ８６で縦桟３０を固定して枠体１２を形成する。枠体１２を形成した後で上部化粧板取付具２０および下部化粧板取付具２２の各被取付部材４４をネジ６２で縦枠２４に取り付ける。もちろん、予め被取付部材４４が取り付けられた縦枠２４を用いて枠体１２を形成してもよい。
【００３９】
次に、図１１に示すように、枠体１２を既存の壁面Ａにおける所望位置に保持した状態で、ネジ６４で上側の横枠２６および各横桟２８を既存の柱Ｄ（大柱でも間柱でもよい）に固定する。その際、水準器Ｅを用いて枠体１２の垂直および水平を確認すべきことはいうまでもない。また、配線がし易いように、枠体１２が既存の壁面Ａに設置された既存の電源コンセントやテレビアンテナ端子Ｆに干渉しないように注意する。本実施例では、９本のネジ６４を用いて３本の横桟２８を３本の既存の柱Ｄに固定しているが、ネジ６４や横桟２８の本数は、この限りではなく、重量物Ｘの重量や柱の数あるいは位置に応じて最適な数が選択される。
【００４０】
枠体１２を既存の壁面Ａに固定した後、図１２に示すように、重量物取付板１４および配線化粧板３７を枠体１２の縦桟３０に対してネジ３４で固定する。
【００４１】
そして、裏面に取付部材４２を予め取り付けておいた上部化粧板１６および下部化粧板１８を以下の手順で取り付ける。すなわち、図１３に示すように、下部化粧板１８を取り付け予定位置よりもやや高い位置から、枠体１２の表面に沿わせつつ、該取り付け予定位置まで下げていく。このとき、下部化粧板１８の裏面に形成された取付凹所４８が、枠体１２の縦枠２４に取り付けられた被取付部材４４の被係止部５６を下方から受け入れることにより、下部化粧板１８が枠体１２の表面に固定される。
【００４２】
下部化粧板１８を枠体１２の表面に固定した後、図１４に示すように、上部化粧板１６をやや斜めにして、上方に開口する取付部材４２の取付凹所４８に被取付部材４４を嵌め込み、該被取付部材４４を中心軸として上部化粧板１６の下端部を枠体１２に向けて回動させて上部化粧板１６を枠体１２の表面に沿わせる。その後、上部化粧板１６を下部化粧板１８に向けて下方に移動させ、下部化粧板１８の上端面に設けられたピン７０を上部化粧板１６の下端面に穿設された嵌合穴７２に嵌め込むことにより、上部化粧板１６および下部化粧板１８が枠体１２の所望の位置に取り付けられる。さらに、ネジ３９で上部化粧板１６および下部化粧板１８を枠体１２に固定する。以上の手順により、重量物固定用壁１０の既存の壁面Ａへの取付が完了する。
【００４３】
重量物固定用壁１０への大画面テレビＸの固定は、図１に示すように、固定したい大画面テレビ毎にメーカーから提供される専用の取付金具Ｙを挿通孔３８、４０を避けるようにして重量物固定用壁１０へ取り付け、大画面テレビＸからの配線コード等を挿通孔３６、３８に挿通した後、当該取付金具Ｙに大画面テレビＸを固定する。その際、取付金具Ｙは、必ずネジなどにより上部化粧板１６および／または下部化粧板１８を介して、背面にある重量物取付板１４に固定する。以上、重量物固定用壁１０に重量物Ｘとして大画面テレビを固定する場合について説明したが、他に絵画などを固定する場合も基本的にこれと同じ手順である。
【００４４】
なお、本発明に係る重量物固定用壁１０は、重量物Ｘを壁掛けにする場合だけでなく、据え置きにする場合にも当然に対応できる。例えば、図１５に示すように、大画面テレビＸを上述したＡＶラックＧなどの天面から支持台Ｚなどを用いて支持する場合、大画面テレビＸが地震によって転倒するのを防止するために重量物固定用壁１０を使用することができる。すなわち、図１６に示すように、重量物固定用壁１０の上部化粧板１６、下部化粧板１８あるいは重量物取付板１４に貫通孔９０を設け（重量物取付板１４に貫通孔９０を設ける場合は、上部化粧板１６あるいは下部化粧板１８の対応する位置にも貫通孔９０を設ける。）、その裏面から予め複数の鬼目ナット９２（本実施例では２つ）を嵌め込んでおく。そして、重量物固定用壁１０の表面から、これら貫通孔９０にアイボルト９４を挿入して鬼目ナット９２に螺合させ、アイボルト９４を重量物固定用壁１０に固定する。最後に、大画面テレビＸに取り付けた転倒防止用ワイヤー９６の両端をそれぞれアイボルト９４に結びつける。
【００４５】
これにより、地震によって大画面テレビＸが揺れても、大画面テレビＸは、転倒防止用ワイヤー９６およびアイボルト９４を介して重量物固定用壁１０に繋止されているので転倒することがない。
【図面の簡単な説明】
【００４６】
【図１】本発明に係る重量物固定用壁を示す斜視図である。
【図２】枠体が既存の壁面に取り付けられた状態を示す図である。
【図３】図１のＩＩＩ−ＩＩＩ矢視による断面図である。
【図４】枠体に重量物取付板を固定した状態を示す図である。
【図５】上部化粧板の裏面を表す図である。
【図６】下部化粧板の裏面を表す図である。
【図７】上部化粧板取付具（ａ）および下部化粧板取付具（ｂ）を示す図である。
【図８】取付部材の他の実施例を示す図である。
【図９】枠体の組立手順を示す図である。
【図１０】枠体の組立手順を示す図である。
【図１１】枠体を既存の壁面に取り付ける手順を示す図である。
【図１２】重量物取付板を枠体に固定する手順を示す図である。
【図１３】上部化粧板および下部化粧板を枠体に取り付ける手順を示す図である。
【図１４】上部化粧板を枠体に取り付ける手順を示す図である。
【図１５】重量物（大画面テレビ）を据え置きにした場合を示す図である。
【図１６】重量物（大画面テレビ）の転倒防止構造を示す図である。
【図１７】従来技術を示す図である。
【符号の説明】
【００４７】
１０…重量物固定用壁
１２…枠体
１４…重量物取付板
１６…上部化粧板
１８…下部化粧板
２０…上部化粧板取付具
２２…下部化粧板取付具
２４…縦枠
２６…横枠
２７…天板
２８…横桟
３０…縦桟
３２…Ｌ型金具
３４…ネジ
３６…挿通孔
３７…配線化粧板
３８…挿通孔
３９…ネジ
４０…挿通孔
４１…配線カバー
４２…取付部材
４４…被取付部材
４６…基部
４８…取付凹所
５０…取付凹所形成部
５２…ネジ止め孔
５４…基部
５６…被係止部
５８…ネジ止め孔
６０…ネジ
６２…ネジ
６４…ネジ
７０…凸状部材（ピン）
７２…嵌合穴
８０…ピン
８２…穴
８４…接着剤
８６…ネジ
９０…貫通孔
９２…鬼目ナット
９４…アイボルト
９６…転倒防止用ワイヤー
Ａ  …既存の壁面
Ｂ  …既存の天井面
Ｃ  …既存の床面
Ｄ  …既存の柱
Ｅ  …水準器
Ｆ  …既存の電源コンセントやテレビアンテナ端子
Ｇ  …ＡＶラック
Ｘ  …重量物（大画面テレビ）
Ｙ  …取付金具
Ｚ  …支持台
【図１】
0005175114.tif 000002
【図２】
0005175114.tif 000003
【図３】
0005175114.tif 000004
【図４】
0005175114.tif 000005
【図５】
0005175114.tif 000006
【図６】
0005175114.tif 000007
【図７】
0005175114.tif 000008
【図８】
0005175114.tif 000009
【図９】
0005175114.tif 000010
【図１０】
0005175114.tif 000011
【図１１】
0005175114.tif 000012
【図１２】
0005175114.tif 000013
【図１３】
0005175114.tif 000014
【図１４】
0005175114.tif 000015
【図１５】
0005175114.tif 000016
【図１６】
0005175114.tif 000017
【図１７】
0005175114.tif 000018